(57)【要約】【課題】各段板へのカバー部材の取付強度の低下及び製造コストの低下を招くことなく階段をリフォームすることができる階段のリフォーム方法及び階段構造を提供する。【解決手段】各蹴込板１２の前面１２ａ上にそれぞれ蹴込板化粧材１５を配置し、各段板１１の上面１１ｃ上にそれぞれ段板化粧材１９を配置し、各段板１１又は各蹴込板１２に、各蹴込板化粧材１５の上端部１５ｂ及び各段板１１の段鼻部１１ａを覆うためのカバー部材２０が各蹴込板化粧材１５に干渉することを防止するために、カバー部材２０を支持する前端部１７ａを有する支持部材１７をその前端部１７ａが段鼻部１１ａからその前方に突出するように配置し、カバー部材２０を支持部材１７の前端部１７ａに取り付ける。【選択図】図２
2007291772.tif 000002
【特許請求の範囲】
【請求項１】
互いにほぼ平行に且つ段違いに配列された複数の段板と、該各段板の段鼻部に設けられ、該段鼻部から下方へ伸びる蹴込板とを備える階段をリフォームするリフォーム方法であって、
前記各蹴込板の前面上にそれぞれ蹴込板化粧材を配置すること、
前記各段板の上面上にそれぞれ段板化粧材を配置すること、
前記各段板又は前記各蹴込板に、前記各蹴込板化粧材の上端部及び前記各段板の前記段鼻部を覆うためのカバー部材が前記各蹴込板化粧材に干渉することを防止するために、前記カバー部材を支持する支持端部を有する支持部材をその前記支持端部が前記段鼻部からその前方に突出するように配置すること、
前記カバー部材を前記支持部材の前記支持端部に取り付けること、
を含むことを特徴とする階段のリフォーム方法。
【請求項２】
互いにほぼ平行に且つ段違いに配列された複数の段板と、該各段板の段鼻部に設けられ、該段鼻部から下方へ伸びる蹴込板と、前記蹴込板の前面を覆うように配置される蹴込板化粧材と、前記各段板の上面を覆うように配置される段板化粧材と、前記各段板の前記段鼻部及び前記各蹴込化粧材の上端部を覆うためのカバー部材とを備え、前記各段板又は前記各蹴込板には、前記カバー部材を支持する支持端部を有する支持部材が設けられており、該支持部材は、前記蹴込板化粧材への前記カバー部材の干渉を防止するために、前記支持端部が前記段鼻部からその前方に突出するように配置されていることを特徴とする階段構造。
【請求項３】
前記支持部材は、前記段板と前記段板化粧材との間で前記段板の前記上面を覆うように配置されており、前記段板に固定されていることを特徴とする請求項２に記載の階段構造。
【発明の詳細な説明】
【技術分野】
【０００１】
本発明は、例えば建物に設けられた階段のリフォーム方法及び階段構造に関する。
【背景技術】
【０００２】
従来、複数の段板と複数の蹴込板とを備える階段として、各段板の段鼻部が各蹴込板から該各蹴込板の前面側に突出することによりいわゆる見返しが形成された階段が知られており、このような階段が例えば経年劣化することにより外観が悪化したときに階段をリフォームすることが提案されている（例えば、特許文献１乃至３参照。）。
【０００３】
特許文献１乃至３によれば、階段をリフォームする際、各段板の上面及び各蹴込板の前面にそれぞれ化粧板を貼り付けることにより各段板の上面及び各蹴込板の前面を被覆する。これにより、各段板の上面及び各蹴込板の前面をそれぞれ化粧板により隠すことができるので、各段板及び各蹴込板に美観を確保することができる。
【０００４】
更に、各段板の段鼻部に、該段鼻部を覆うためのカバー部材を取り付ける。カバー部材は、各段板の段鼻部における上面に配置され該上面に接着される板状の横部と、該横部の階段の前方側の縁部から段鼻部の端面を覆うように下方へ伸び且つ下端部が段板からその下方へ突出するように配置される縦部とを有する。横部を段鼻部に接着することによってカバー部材を各段板の段鼻部に取り付けることにより、該段鼻部の端面及び各蹴込板の前面に貼り付けられた化粧板の上端部が縦部により覆われる。これにより、各段板の端面に美観を確保することができ、また、各蹴込板に設けられた化粧板の上端部と段板との間に隙間が形成された場合でも該隙間を縦部により隠すことができるので、各蹴込板に設けられた化粧板及び各段板間に形成された隙間が露出することによる外観の悪化を防止することができる。
【特許文献１】特開２００１−１５９２１９号公報
【特許文献２】特開２００１−２７９８９９号公報
【特許文献３】特開２００２−３８６８０号公報
【発明の開示】
【発明が解決しようとする課題】
【０００５】
しかしながら、特許文献１乃至３では、前記した見返しが形成されることなく各蹴込板がそれぞれ各段板の段鼻部に設けられた階段を従来の各化粧板及びカバー部材を用いてリフォームすることは考えられていない。このため、このような階段に従来の各化粧板及びカバー部材を用いてリフォームすると、各蹴込板及び該各蹴込板の前面に貼り付けられた化粧板が従来よりも前方に位置するため、カバー部材の縦部が各蹴込板に化粧板上から干渉してしまい、カバー部材を各段板に取り付けることができない。
【０００６】
各蹴込板の化粧板へのカバー部材の干渉を防止するために、カバー部材の縦部が各蹴込板の化粧板よりも前方に位置するように各段板の上面への横部の係合位置を前方にずらしてカバー部材を各段板に取り付けることが考えられるが、各段板への横部の係合面積が小さくなるため、各段板へのカバー部材の外力に対する取付強度の低下を招く。
【０００７】
また、各段板の上面への横部の係合位置をずらすと、横部が各段板の段鼻部から大きく張り出して片持ち梁状態におかれるため、例えば階段の昇降者から受ける力により横部に変形及び破損等が生じ易くなる。横部の変形及び破損等の発生を防止するために、横部の材料の厚さ寸法を増大させたり剛性を向上させたりすることが考えられるが、既存のカバー部材とは別に専用のカバー部材を新たに製造する必要があるため、製造コストの増大を招く。
【０００８】
そこで、本発明の目的は、各段板へのカバー部材の取付強度の低下及び製造コストの低下を招くことなく階段をリフォームすることができる階段のリフォーム方法及び階段構造を提供することにある。
【課題を解決するための手段】
【０００９】
上記課題を解決するために、請求項１に記載の発明は、互いにほぼ平行に且つ段違いに配列された複数の段板と、該各段板の段鼻部に設けられ、該段鼻部から下方へ伸びる蹴込板とを備える階段をリフォームするリフォーム方法であって、前記各蹴込板の前面上にそれぞれ蹴込板化粧材を配置すること、前記各段板の上面上にそれぞれ段板化粧材を配置すること、前記各段板又は前記各蹴込板に、前記各蹴込板化粧材の上端部及び前記各段板の前記段鼻部を覆うためのカバー部材が前記各蹴込板化粧材に干渉することを防止するために、前記カバー部材を支持する支持端部を有する支持部材をその前記支持端部が前記段鼻部からその前方に突出するように配置すること、前記カバー部材を前記支持部材の前記支持端部に取り付けること、を含むことを特徴とする。
【００１０】
請求項２に記載の発明は、互いにほぼ平行に且つ段違いに配列された複数の段板と、該各段板の段鼻部に設けられ、該段鼻部から下方へ伸びる蹴込板と、前記蹴込板の前面を覆うように配置される蹴込板化粧材と、前記各段板の上面を覆うように配置される段板化粧材と、前記各段板の前記段鼻部及び前記各蹴込化粧材の上端部を覆うためのカバー部材とを備え、前記各段板又は前記各蹴込板には、前記カバー部材を支持する支持端部を有する支持部材が設けられており、該支持部材は、前記蹴込板化粧材への前記カバー部材の干渉を防止するために、前記支持端部が前記段鼻部からその前方に突出するように配置されていることを特徴とする。
【００１１】
請求項３に記載の発明は、請求項２に記載の発明において、前記支持部材は、前記段板と前記段板化粧材との間で前記段板の前記上面を覆うように配置されており、前記段板に固定されていることを特徴とする。
【発明の効果】
【００１２】
請求項１に記載の発明によれば、各段板の上面上にそれぞれ段板化粧材を配置し、各蹴込板の前面上にそれぞれ蹴込板化粧材を配置することにより、各段板の上面及び各蹴込板の前面をそれぞれ段板化粧板及び蹴込板化粧材により隠すことができるので、各段板及び各蹴込板に従来と同様に美観を確保することができる。また、カバー部材によって各段板の段鼻部及び各蹴込化粧材の上端部を覆うことにより、従来と同様に、各段板の端面に美観を確保することができ、また、各蹴込板化粧材の上端部と段板との間に隙間が形成された場合でも該隙間をカバー部材により隠すことができるので、各蹴込板化粧材及び各段板間に形成された隙間が露出することによる外観の悪化を防止することができる。
【００１３】
また、各段板又は各蹴込板に、カバー部材を支持する支持端部を有する支持部材をその支持端部が各段板の段鼻部の前方に位置するように配置し、支持部材の支持端部にカバー部材を取り付けることから、支持部材の端部にカバー部材を取り付けたとき、該カバー部材を蹴込板化粧材よりも前方に位置させることができる。これにより、各段板の段鼻部が各蹴込板から該各蹴込板の前面側に突出するように各蹴込板が配置された階段に用いられる従来のカバー部材を本発明に適用した場合でも、カバー部材が蹴込板化粧材に干渉することを確実に防止することができる。
【００１４】
従って、各蹴込板化粧材へのカバー部材の干渉を防止するために、カバー部材が各蹴込板化粧材よりも前方に位置するようにカバー部材の支持位置を前方にずらす必要はないので、カバー部材の支持面積が小さくなることによる従来のようなカバー部材の外力に対する取付強度の低下を確実に防止することができる。
【００１５】
また、カバー部材の支持位置をずらす必要がないことから、カバー部材の支持態様が従来のような片持ち梁状になることが防止されるので、例えば階段の昇降者から受ける力による従来のようなカバー部材の変形及び破損等の発生が防止される。これにより、カバー部材の変形及び破損等の発生を防止するために、カバー部材の材料の厚さ寸法を増大させたり剛性を向上させたりする必要はない。従って、従来の既存のカバー部材を用いて各段板の段鼻部及び各蹴込板の上端部を被覆することができることから、既存のカバー部材とは別に専用のカバー部材を新たに製造する必要はないので、専用のカバー部材を新たに製造することによる従来のような製造コストの増大を確実に防止することができる。
【００１６】
請求項２に記載の発明によれば、各段板の上面上にそれぞれ段板化粧材が配置され、各蹴込板の前面上にそれぞれ蹴込板化粧材が配置されていることから、各段板の上面及び各蹴込板の前面をそれぞれ段板化粧板及び蹴込板化粧材により隠すことができるので、各段板及び各蹴込板に従来と同様に美観を確保することができる。また、各段板の段鼻部及び各蹴込板化粧材の上端部を覆うためのカバー部材が配置されていることから、従来と同様に、各段板の端面に美観を確保することができ、また、各蹴込板化粧材の上端部と段板との間に隙間が形成された場合でも該隙間をカバー部材により隠すことができるので、各蹴込板化粧材及び各段板間に形成された隙間が露出することによる外観の悪化を防止することができる。
【００１７】
また、各段板又は各蹴込板に、カバー部材を支持する支持端部が段鼻部の前方に位置するように配置された支持部材が設けられていることから、支持部材の支持端部にカバー部材を取り付けたとき、該カバー部材を蹴込板化粧材よりも前方に位置させることができる。これにより、各段板の段鼻部が各蹴込板から該各蹴込板の前面側に突出するように各蹴込板が配置された階段に用いられる従来のカバー部材を本発明に適用した場合でも、カバー部材が蹴込板化粧材に干渉することを確実に防止することができる。
【００１８】
従って、各蹴込板化粧材へのカバー部材の干渉を防止するために、カバー部材が各蹴込板化粧材よりも前方に位置するようにカバー部材の支持位置を前方にずらす必要はないので、カバー部材の支持面積が小さくなることによる従来のようなカバー部材の外力に対する取付強度の低下を確実に防止することができる。
【００１９】
また、カバー部材の支持位置をずらす必要がないことから、カバー部材の支持態様が従来のような片持ち梁状になることが防止されるので、例えば階段の昇降者から受ける力による従来のようなカバー部材の変形及び破損等の発生が防止される。これにより、カバー部材の変形及び破損等の発生を防止するために、カバー部材の材料の厚さ寸法を増大させたり剛性を向上させたりする必要はない。従って、従来の既存のカバー部材を用いて各段板の段鼻部及び各蹴込板の上端部を被覆することができることから、既存のカバー部材とは別に専用のカバー部材を新たに製造する必要はないので、専用のカバー部材を新たに製造することによる従来のような製造コストの増大を確実に防止することができる。
【００２０】
請求項３に記載の発明によれば、支持部材は、段板と段板化粧材との間で段板の上面を覆うように配置されており、段板に固定されていることから、支持部材の段板の段鼻部から突出した支持端部に階段の昇降者から外力が作用したとき、該外力が支持端部に集中することなく前記外力の大部分を支持部材から段板に伝えることができる。これにより、支持端部に作用する前記外力により支持部材が段板から脱落することを、確実に防止することができる。
【発明を実施するための最良の形態】
【００２１】
本発明を図示の実施例に沿って説明する。
【実施例】
【００２２】
本発明に係る階段１０は、図１に示すように、複数の段板１１と複数の蹴込板１２とを備える。
【００２３】
各段板１１は、図示の例では、鋼板からなり、互いにほぼ平行に且つ段違いに配列されている。各段板１１は、従来よく知られているように、階段１０を昇降するときに昇降者が踏み付ける踏み板である。
【００２４】
各蹴込板１２は、それぞれ各段板１１と同様に鋼板からなり、各段板１１間に階段１０の上下方向に沿って配置されている。各蹴込板１２は、各段板１１の階段１０の前後方向で互いに対向する端部のうち前側に位置する端部である段鼻部１１ａに設けられ、該段鼻部から各段板１１にそれぞれの下方で隣接して配置された各段板１１の後端部１１ｂに向けて伸びる。各段板１１及び各蹴込板１２で、階段１０の各段が構成されている。
【００２５】
各蹴込板１２の階段１０の前後方向の前方側（図２で見て左側である。）に位置する前面１２ａには、図２に示すように、それぞれシート状の蹴込板下地材１４が設けられている。蹴込板下地材１４は、各蹴込板１２の前面１２ａを覆うように配置されており、例えば図示しない接着剤により各蹴込板１２の前面１２ａに接着されている。蹴込板下地材１４の表面１４ａには、該表面を平滑化するための図示しない金属箔層が形成されている。
【００２６】
蹴込板下地材１４上には、板状の蹴込板化粧材１５が設けられている。蹴込板化粧材１５は、図示の例では、各蹴込板下地材１４の下端部１４ｂを除く部分をほぼ全体的に覆う大きさを有し、例えば図示しない両面テープにより蹴込板下地材１４の表面１４ａに接着されている。蹴込板化粧材１５の階段１０の上下方向に沿った長さ寸法は、その下端部１５ａが後述する段板化粧材１９に干渉しない長さに設定されている。
【００２７】
各段板１１の上面１１ｃには、階段１０の昇降時に発生する音を遮断するための遮音シート１６が設けられている。遮音シート１６は、各段板１１の上面１１ｃをほぼ全体的に覆う大きさを有し、例えば図示しない接着剤により各段板１１の上面１１ｃに接着されている。
【００２８】
遮音シート１６上には、後述するカバー部材２０を支持するための支持部材１７が設けられている。支持部材１７は、図示の例では、遮音シート１６を全面的に覆う大きさを有する合板からなり、図示しない接着剤により遮音シート１６に接着されている。各支持部材１７の段板１１の段鼻部１１ａ側に位置する前端部１７ａは、段鼻部１１ａからその前方に突出している。段板１１の段鼻部１１ａからの支持部材１７の前端部１７ａの突出量は、蹴込板化粧材１５への後述するカバー部材２０の縦部２２の干渉を防止する大きさに設定されている。また、支持部材１７には、階段１０の昇降時に昇降者から受ける力により支持部材１７に変形及び破損が生じないように、前記力に対する強度が確保されている。
【００２９】
支持部材１７の上面１７ｂには、シート状の段板下地材１８が設けられている。段板下地材１８は、支持部材１７の上面１７ｂをほぼ全体的に覆うように配置されており、図示しない接着剤により支持部材１７の上面１７ｂに接着されている。段板下地材１８の表面１８ａには、蹴込板下地材１４と同様に、表面１８ａを平滑化するための図示しない金属箔層が形成されている。
【００３０】
段板下地材１８上には、板状の段板化粧材１９が設けられている。段板化粧材１９は、段板下地材１８の支持部材１７の前端部１７ａに対応する部分１８ｂを除く部分を覆うように配置されており、例えば図示しない両面テープにより段板下地材１８の表面１８ａに接着されている。
【００３１】
更に、本発明に係る階段１０は、各段板１１の段鼻部１１ａ及び各蹴込板化粧材１５の上端部１５ｂを覆うための従来と同様の前記したカバー部材２０を備える。
【００３２】
カバー部材２０は、図示の例では、例えば合成樹脂材料からなり、各支持部材１７の前端部１７ａに支持されている。すなわち、各支持部材１７の前端部１７ａは、各カバー部材２０を支持する支持端部を構成する。各カバー部材２０は、段板下地材１８の前記部分１８ｂ上に配置され、階段１０の幅方向に沿って伸びる板状の横部２１と、該横部の階段１０の前方側に位置する縁部２１ａから下方へ伸びる前記した板状の縦部２２と、該縦部の下端２２ａに連なり、階段１０の後方へ向けて下向きに傾斜する板状の傾斜部２３とをそれぞれ有する。
【００３３】
横部２１は、段板下地材１８の露出した前記部分１８ｂを全体的に覆う大きさを有し、段板化粧材１９の板厚寸法とほぼ等しい板厚寸法を有する。これにより、横部２１が段板下地材１８の前記部分１８ｂ上に配置された状態では、横部２１の上面２１ｂと段板化粧材１９の上面１９ａとがほぼ面一になるので、横部２１と段板化粧材１９との間に段差が形成されることによる外観の悪化が防止される。横部２１は段板下地材１８の前記部分１８ｂに、例えば図示しない両面テープにより接着されている。横部２１が段板下地材１８の前記部分１８ｂに接着されることにより、カバー部材２０は、支持部材１７の前端部１７ａに段板下地材１８の前記部分１８ａ上から支持される。
【００３４】
縦部２２は、段板下地材１８の前記部分１８ｂの端面１８ｃ、支持部材１７の前端部１７ａの端面１７ｃ、段板１１の段鼻部１１ａの端面及び蹴込板化粧材１５の上端部１５ｂをそれぞれ覆う大きさを有する。縦部２２の裏面２２ｂは、段鼻部１１ａへのカバー部材２０の支持状態では、図２に示すように、段板下地材１８の前記部分１８ｂの端面１８ｃ及び支持部材１７の前端部１７ａの端面１７ｃに当接している。
【００３５】
傾斜部２３は、支持部材１７の前端部１７ａをその下方から覆う大きさを有する。これにより、段鼻部１１ａへのカバー部材２０の支持状態では、傾斜部２３により支持部材１７の前端部１７ａにおける下面が隠れるので、支持部材１７の下面が露出することによる外観の悪化が防止される。
【００３６】
例えば経年劣化により階段１０の外観が悪化したときに階段１０をリフォームする際、先ず、各蹴込板１２の前面１２ａにそれぞれ蹴込板下地材１４を取り付け、各蹴込板化粧材１５をそれぞれ各蹴込板下地材１４に接着する。これにより、各蹴込板化粧材１５がそれぞれ各蹴込板１２に各蹴込板下地材１４上から取り付けられる。このとき、前記したように、各蹴込板下地材１４の表面１４ａに該表面を平滑化するための前記金属箔層が形成されていることから、各蹴込板化粧材１５に凹凸が形成されることが防止される。これにより、各蹴込板化粧材１５に凹凸が形成されることによる外観の悪化及び各蹴込板下地材１４への各蹴込板化粧材１５の接着不良が防止される。
【００３７】
次に、各段板１１の上面１１ｃにそれぞれ遮音シート１６を取り付け、各支持部材１７をそれぞれ遮音シート１６に接着する。これにより、各支持部材１７がそれぞれ各段板１１に遮音シート１６上から取り付けられる。
【００３８】
続いて、各支持部材１７の上面１７ｂに各段板下地材１８をそれぞれ取り付け、各カバー部材２０の横部２１をそれぞれ各段板下地材１８の前記部分１８ｂに接着する。これにより、各カバー部材２０がそれぞれ横部２１で各支持部材１７の前端部１７ａに各段板下地材１８上から取り付けられる。このとき、前記したように、段板１１の段鼻部１１ａからの支持部材１７の前端部１７ａの突出量が、蹴込板化粧材１５へのカバー部材２０の干渉を防止する大きさに設定されていることから、各蹴込板化粧材１５が各支持部材１７への各カバー部材２０の取り付けの妨げになることが防止される。また、前記したように、段板下地材１８の表面１８ａに該表面を平滑化するための前記金属箔層が形成されていることから、各横部２１に凹凸が形成されることが防止される。これにより、各横部２１に凹凸が形成されることによる外観の悪化及び各段板下地材１８への各横部２１の接着不良が防止される。
【００３９】
その後、各支持部材１７に各段板化粧材１９を各段板下地材１８上から取り付ける。このとき、前記したように、段板下地材１８の表面１８ａに前記金属箔層が形成されていることから、各段板化粧材１９に凹凸が形成されることが防止される。これにより、各段板化粧材１９に凹凸が形成されることによる外観の悪化及び各段板下地材１８への各段板化粧材１９の接着不良が防止される。また、前記したように、各蹴込板化粧材１５の上下方向に沿った長さ寸法は、その下端部１５ａが各段板化粧材１９に干渉しない長さに設定されていることから、各蹴込板化粧材１５が各支持部材１７への各段板化粧材１９の取り付けの妨げになることが防止される。
【００４０】
本実施例によれば、前記したように、各段板１１の上面１１ｃ上にそれぞれ段板化粧材１９が配置され、各蹴込板１２の前面１２ａ上にそれぞれ蹴込板化粧材１５が配置されていることから、各段板１１の上面１１ｃ及び各蹴込板１２の前面１２ａをそれぞれ段板化粧板１９及び蹴込板化粧材１５により隠すことができるので、各段板１１及び各蹴込板１２に従来と同様に美観を確保することができる。また、各段板１１の段鼻部１１ａ及び各蹴込板化粧材１５の上端部１５ｂを覆うカバー部材２０が設けられていることから、従来と同様に、各段板１１の端面に美観を確保することができ、また、各蹴込板化粧材１５の上端部と段板１１との間に隙間が形成された場合でも該隙間をカバー部材２０により隠すことができるので、各蹴込板化粧材１５及び各段板１１間に形成された隙間が露出することによる外観の悪化を防止することができる。
【００４１】
また、各段板１１と各段板化粧材１９との間に、前端部１７ａが段鼻部１１ａの前方に位置するように配置された支持部材１７が設けられており、該支持部材の前端部１７ａにカバー部材２０が支持されていることから、支持部材１７の前端部１７ａにカバー部材２０を取り付けたとき、該カバー部材を蹴込板化粧材１５よりも前方に位置させることができる。
【００４２】
これにより、各段板の段鼻部が各蹴込板から該各蹴込板の前面側に突出するように各蹴込板が配置された階段に用いられる従来のカバー部材を本発明に適用した場合でも、カバー部材が蹴込板化粧材１５に干渉することを確実に防止することができる。
【００４３】
従って、各蹴込板化粧材１５へのカバー部材２０の干渉を防止するために、カバー部材２０が各蹴込板化粧材１５よりも前方に位置するようにカバー部材２０の支持位置を前方にずらすことなく、従って、カバー部材２０の横部２１が支持部材１７の前端部１７ａからその前方へ大きく張り出すことなく、縦部２２の裏面２２ｂが段板下地材１８の前記部分１８ｂの端面１８ｃ及び支持部材１７の前端部１７ａの端面１７ｃに当接した状態で各蹴込板化粧材１５へのカバー部材２０の干渉を防止することができることから、カバー部材２０の支持面積が小さくなることによる従来のようなカバー部材２０の外力に対する取付強度の低下を確実に防止することができる。
【００４４】
また、各蹴込板化粧材１５へのカバー部材２０の干渉を防止するためにカバー部材２０の支持位置をずらす必要がないことから、カバー部材２０の支持態様が従来のような片持ち梁状になることが防止されるので、階段１０の昇降者から受ける力による従来のようなカバー部材２０の変形及び破損等の発生が防止される。これにより、カバー部材２０の変形及び破損等の発生を防止するために、カバー部材２０の材料の厚さ寸法を増大させたり剛性を向上させたりする必要はない。従って、従来の既存のカバー部材を用いて各段板１１の段鼻部１１ａ及び各蹴込板化粧材１５の上端部１５ｂを被覆することができることから、既存のカバー部材とは別に専用のカバー部材を新たに製造する必要はないので、専用のカバー部材を新たに製造することによる従来のような製造コストの増大を確実に防止することができる。
【００４５】
更に、前記したように、支持部材１７は、段板１１と段板化粧材１９との間で段板１１の上面１１ｃを覆うように配置されており、段板１１に固定されていることから、支持部材１７の段板１１の段鼻部１１ａから突出した前端部１７ａに階段１０の昇降者から外力が作用したとき、該外力が前端部１７ａに集中することなく前記外力の大部分を支持部材１７から段板１１に伝えることができる。これにより、前端部１７ａに作用する前記外力により支持部材１７が段板１１から脱落することを、確実に防止することができる。
【００４６】
本実施例では、各支持部材１７がそれぞれ各段板１１に設けられた例を示したが、これに代えて、各蹴込板１２にカバー部材を支持するための支持部材を設けることができる。
【００４７】
また、本実施例では、各支持部材１７及び各カバー部材２０がそれぞれ前記接着剤により各段板１１及び各支持部材１７に取り付けられた例を示したが、これに代えて、又は、これに加えて、各支持部材１７及び各カバー部材２０をそれぞれ例えば釘及びビス等の締結具により各段板１１及び各支持部材１７に取り付けることができる。この場合、各段板１１への各支持部材１７の取付強度及び各支持部材１７への各カバー部材２０の取付強度をより向上させることができる。
【図面の簡単な説明】
【００４８】
【図１】本発明に係る階段を概略的に示す斜視図である。
【図２】本発明に係る階段構造を概略的に示す横断面図である。
【符号の説明】
【００４９】
１１  段板
１１ａ  段鼻部
１２  蹴込板
１０  階段
１５  蹴込板化粧材
１９  段板化粧材
２０  カバー部材
１７ａ  支持端部（支持部材の前端部）
１７  支持部材
【図１】
2007291772.tif 000003
【図２】
2007291772.tif 000004